(57)【要約】【課題】  安価で、安全かつ確実に止水することができる、エントランスパッキンの押え板を提供すること。【解決手段】  推進管が発進する坑壁２０のエントランス部を止水するエントランスパッキン３０の押え板１０において、前記押え板１０の前記推進管の半径方向内方に位置する縁部を、前記推進管の圧入方向に向けて折曲していることを特徴とする、エントランスパッキン３０の押え板１０である。【選択図】図１
2005264676.tif 000002
【特許請求の範囲】
【請求項１】
推進管が発進する坑壁のエントランス部を止水するエントランスパッキンの押え板において、
前記押え板の前記推進管の半径方向内方に位置する縁部を、前記推進管の圧入方向に向けて折曲していることを特徴とする、
エントランスパッキンの押え板。
【請求項２】
請求項１に記載したエントランスパッキンの押え板において、
前記押え板の前記坑壁に固定する固定部に、前記推進管の半径方向に延伸する長孔を設け、
前記坑壁から立ち上げたボルトに前記長孔を挿通して配置し、
前記推進管の半径方向へスライド可能としたことを特徴とする、
エントランスパッキンの押え板。
【発明の詳細な説明】
【技術分野】
【０００１】
本発明は、推進工法において、発進坑口部を推進管が通過して地山に突入するときに、推進管の外周と坑壁との間を止水するために設ける止水装置のエントランスパッキンを、固着する押え板に関するものである。
【背景技術】
【０００２】
推進工法による上下水道管などの設置工事においては、推進管ａを発進立坑ｂから到達立坑へ向けて圧入する。推進管ａを立坑ｂの壁面から圧入すると、推進管ａの周囲から大量の地下水や土砂が立坑ｂ内に流出してくるため、これを防ぐために、通常、止水装置ｃを設けている。
止水装置ｃの種類には、フラップ式やスライド式と呼ばれるタイプがあり、このうち、スライド式と呼ばれるものは図４に示すように、環状のパッキンｄと、長孔ｅ１を開口した押え板ｅを、ボルトとナットで立坑ｂの側壁に配置して、推進管ａの半径方向に押え板ｅをスライド可能に構成したものである。
推進管ａを圧入すると、パッキンｄの先端は圧入方向に向けて折り曲げられ、その先端ｄ２が推進管ａの外壁に水平に密着して、水や土砂の浸入を封じる構成である。
また、その他の止水手段として、弾性シート材と、開閉自在の押え板と、姿勢の復元が可能な支持材とから構成したものも開示されている（例えば、特許文献１）。
【特許文献１】特開２００３−１８４４７６号公報
【発明の開示】
【発明が解決しようとする課題】
【０００３】
前記した従来のエントランスパッキンの押え板にあっては、次のような問題点がある。
＜１＞推進管の半径方向に面を展開している押え板には、水圧や土砂圧などが垂直にかかるため、押え板にとって大きな負担となり、破断する危険性を含む。また、この負荷は押え板を固定するボルトにも伝播して、ボルトをも破断させる危険性がある。
＜２＞水圧や土砂圧によって押え板が変形し始めた場合、この変形を抑えようとする力が働かないため、変形が進行して被害を拡大させる恐れがある。
＜３＞押え板はパッキンを固定する重要な部材であるため、大きな安全率を見込んで厚くする傾向にあるが、厚みを増すと、取り付け、取り外し、調整などの作業性が悪くなってしまうという問題を生じる。
【課題を解決するための手段】
【０００４】
上記のような課題を解決するために、本発明のエントランスパッキンの押え板は、推進管が発進する坑壁のエントランス部を止水するエントランスパッキンの押え板において、前記押え板の前記推進管の半径方向内方に位置する縁部を、前記推進管の圧入方向に向けて折曲していることを特徴とするものである。
【０００５】
また、本発明のエントランスパッキンの押え板は、前記したエントランスパッキンの押え板において、前記押え板の前記坑壁に固定する固定部に、前記推進管の半径方向に延伸する長孔を設け、前記坑壁から立ち上げたボルトに前記長孔を挿通して配置し、前記推進管の半径方向へスライド可能としたことを特徴とするものである。
【発明の効果】
【０００６】
本発明のエントランスパッキンの押え板は、上記した課題を解決するための手段により、次のような効果の少なくとも一つを得ることができる。
＜１＞本発明のエントランスパッキンの押え板は、押え板の推進管の半径方向内方に位置する縁部を、推進管の圧入方向に折曲しているため、押え板におよぶ水圧や土砂圧を、推進管の圧入方向と推進管の半径方向とに分散でき、曲げ負担を低減することができる。これによって、押え板や押え板を固定するボルトへの負担も軽減でき、破断する危険を防ぐことができる。
＜２＞押え板の縁部を、推進管の圧入方向に向けて折曲しているため、万が一押え板が推進管の後方側に折れ曲がったとしても、その先端部が弧を描くようにして移動し推進管に当接するため、押え板は二点支持される状態となり、押え板の過大な変形を抑止することができる。すなわち、被害の拡大を最小限に留めることができる。
＜３＞本発明は、押え板によって水圧や土砂圧を、推進管の後方向と半径方向に分散させることができるため、押え板を薄く形成する場合でも、大きな安全率を得ることができる。殊に、推進管が大口径の場合や推進管を大深度に敷設する場合には、押え板を薄く形成し軽量化できるので、坑壁への設置作業などを簡単に行うことができる。
＜４＞本発明の押え板は、従来のスライド式の押え板を曲げ加工するだけであるため、安価で製作することができる。
【発明を実施するための最良の形態】
【０００７】
以下、図面を参照しながら本発明の実施の形態について説明する。
【０００８】
＜１＞押え板
本発明に係る押え板１０は、図１に示すように、推進管と坑壁２０のエントランス部の間に設ける止水装置のエントランスパッキン３０を固定するための部材である。
押え板１０は、リング状を呈するエントランスパッキン３０を、周方向に沿って複数に分割した略台形状の鋼板である。
押え板１０は平板を折り曲げた、断面くの字を呈する折曲板であり、坑壁２０に固定する固定部１１と、固定部１１より推進管の圧入方向に向けて折り曲げた傾斜部１２と、から構成している。固定部１１と傾斜部１２との折曲角度は、地盤の水圧や土砂圧、板の厚みなどを考慮し、０度より大きく９０度より小さい範囲で任意に設定できるが、本例では４５度程度に折り曲げた形態とする。
【０００９】
固定部１１には、推進管の半径方向に向けて長孔１３を延伸しており、坑壁２０より突設させたボルト４０にこの長孔１３を挿入して、押え板１０を推進管の半径方向に移動可能な形態とする。
傾斜部１２は、エントランスパッキン３０の推進管の半径方向に展開する長さより短く形成し、また押え板１０のスライドに支障がない位置で折り曲げる。
【００１０】
＜２＞推進工法への使用
以下、本発明を推進工法に使用する実施例について説明する。
推進管を圧入する坑壁２０の予定位置の外郭に、一定間隔をおいてボルト４０を突出させて設ける。このボルト４０に、エントランスパッキン３０、押え板１０の順で配置する。エントランスパッキン３０には、推進管の外周に沿って密着し、止水する弾性部材、たとえばゴムシートやポリウレタンシートなどを選択する。押え板１０は、傾斜部１２が推進管の圧入方向に傾斜するようにして取り付ける。最後にナットを螺合し、止水装置の設置を完了する。
【００１１】
次に、推進管を止水装置の前方に配置し、所要の装置を用いて坑壁２０へ圧入させる。推進管を止水装置内に通過させる時、押え板１０は推進管の振れ具合を考慮して、傾斜部１２の先端が推進管の外周面にぶつからない位置に固定しておく（図１の実線）。エントランスパッキン３０は押え板１０の形状に沿って変形し、その先端は傾斜部１２の先端より推進管の半径方向に向けて突出した状態となる。
【００１２】
推進管が通過し始めると、エントランスパッキン３０の端部は推進管の外周面に沿って折れ曲がり（以下、水平部３１と呼ぶ）、水平部３１は水や土砂の圧力により推進管の外周に密着してシール作用を生じる。こうして、水や土砂の浸入を防止する。このシール作用は、推進管が通過し続ける間中、作用し続ける。
【００１３】
エントランスパッキン３０に、大きな水圧や土砂圧がかかり、これを支持する押え板１０が限界値を超えると、押え板１０は後方向に変形し始める。このときの押え板１０が変形する様を、図２を用いて説明する。
推進管の圧入中、傾斜部１２の先端１４は推進管の外周面から離れて位置している（位置１２１）。ここに、大きな水圧がかかると、押え板１０は変形し、後方に向けて傾く。押え板１０が変形すると、傾斜部１２の先端１４はボルト４０との固定部を支点として、後方へ移動すると同時に推進管の外周面に向けて、円弧を描くように移動する。より変形が大きくなると、この先端１４はやがて推進管の外周面に当接する（位置１２２）。先端１４が当接すると、押え板１０はボルトだけで支持する片持ちの状態から、ボルトと先端１４とで支持する二点支持の状態となる。これによって、それ以上の変形を抑止できると共に、それ以上の大きさの水圧が作用した場合でも、変形が進行することはなく、確実にシール作用を確保することができる。
【００１４】
推進管の圧入が完了した後、推進管の外周面と押え板１０の間に隙間がある場合、押え板１０を推進管の外周面に向けてスライドし、先端１４を当接させる（図１の二点鎖線、図３）。こうして、二点支持の状態とし、高い止水を確保する。
【００１５】
従来のように、押え板が推進管の半径方向に面を展開する場合、水圧や土砂圧は押え板に対して垂直に及ぶことになる。そのため、押え板にかかった力は、曲げ応力として大きく作用し、またボルト部分へも大きな負担となって及んだ。
しかし、本形態の場合には、押え板１０が圧入方向に折曲しているので、水や土砂から受ける力は、推進管の圧入方向と半径方向とに分散され、曲げ応力を軽減できると共に、ボルト部分への負荷も軽減できる。
また、万が一押え板１０が変形した場合でも、押え板１０の先端が推進管の外周面に当接して、二点支持の状態となるため、それ以上押え板１０が大きく変形し、被害を拡大する恐れはない。
また、推進管を敷設した後においても、押え板１０を移動して二点支持の状態にするため、押え板１０はそれ以上大きく変形することがなく、止水を確保できる。本発明は、水圧や土砂圧が大きな、推進管を大深度に敷設する場合や推進管が大口径の場合などに、特に有用である。
【００１６】
＜３＞シールド掘削機への設置
以上、説明した実施例は、本発明を推進工事に使用する形態であったが、本発明は掘進工事に使用することもできる。
【００１７】
シールド掘削機を掘進させるも同様、坑壁２０の予定位置の外郭にボルトを配置し、エントランスパッキン３０、押え板１０を取り付けて、その間からシールド掘削機を掘進させる。シールド掘削機が止水装置内を通過する時、押え板１０は、傾斜部１２の先端がスキンプレートの外周面に接しない位置に固定しておく。
シールド掘削機が通過する間は、押え板１０は片持ち状態で、水圧を受けつつ、止水作用を示す。大きな水圧がかかり押え板１０が変形した場合でも、傾斜部１２の先端がスキンプレートの外周に当接して二点支持の状態になるだけであるから、止水作用は確保することができる。
【００１８】
やがて、止水装置内部をシールド掘削機が通過し、セグメントが配置された後は、押え板１０をセグメントの外周面に向けて移動し、押え板１０とセグメントを当接させる。こうして、押え板１０は二点支持の状態で、止水作用を示すことができる。
【図面の簡単な説明】
【００１９】
【図１】本発明のエントランスパッキンの押え板の実施例の説明図。
【図２】押え板が変形する様子を示した説明図。
【図３】エントランスパッキンの押え板を配置した斜視説明図。
【図４】従来の坑口の止水装置を示した図。
【符号の説明】
【００２０】
１０・・・押え板
１１・・・固定部
１３・・・長孔
２０・・・坑壁
３０・・・エントランスパッキン
４０・・・ボルト
【図１】
2005264676.tif 000003
【図２】
2005264676.tif 000004
【図３】
2005264676.tif 000005
【図４】
2005264676.tif 000006